(57)【要約】【課題】設置環境の温度にかかわらず、操作部材の押圧によってタクタイルスイッチが確実に押される押圧型選択ボタンユニットを提供する。【解決手段】本発明の押圧型選択ボタンユニット１は、複数の押下可能な操作部材と、操作部材を保持する樹脂からなるハウジング２と、操作部材に対応して複数のタクタイルスイッチ３１が搭載される基板３０と、先端部がタクタイルスイッチ３１に対向し、それぞれの操作部材の押圧操作によって押下する片持ち梁のアーム４２を有する樹脂からなる複数の押圧部材とを有し、それぞれのアーム４２の先端部に形成され、タクタイルスイッチ３１の押圧領域３２０を押圧する突起部４２３と、タクタイルスイッチ３１の押圧領域３２０に向けて突起部４２３を案内するガイド部３３とを備える。【選択図】図７
2014127279.tif 000002
【特許請求の範囲】
【請求項１】
複数の押下可能な操作部材と、
前記操作部材を保持する樹脂からなる本体と、
前記操作部材に対応して複数のタクタイルスイッチが搭載される基板と、
先端部が前記タクタイルスイッチに対向し、前記それぞれの操作部材の押圧操作によって押下する片持ち梁のアームを有する樹脂からなる複数の押圧部材とを有し、
前記それぞれのアームの先端部に形成され、前記タクタイルスイッチの押圧領域を押圧する突起部と、
前記タクタイルスイッチの押圧領域に向けて前記突起部を案内するガイド部と、
を備えることを特徴とする押圧型選択ボタンユニット。
【請求項２】
前記ガイド部は、
前記タクタルスイッチと前記押圧部材との対向位置がずれた状態で、前記操作部材の押圧操作がなされた時に、前記突起部の一部が当該ガイド部に乗り上げて前記突起部を傾かせ、傾いた前記突起部を前記タクタルスイッチの押圧領域に案内する
ことを特徴とする請求項１記載の押圧型選択ボタンユニット。
【発明の詳細な説明】
【技術分野】
【０００１】
本発明は、押圧型選択ボタンユニットに関する。
【背景技術】
【０００２】
自動販売機には、販売可能な商品であることを知らせ、希望の商品を購入するために押圧する押圧型選択ボタンが搭載されている。押圧型選択ボタンは、自動販売機正面に位置し、例えば、商品の陳列棚の下方にあって、商品陳列棚に沿って設けられている。
【０００３】
押圧型選択ボタンとして、商品陳列棚に沿って延びるケーシングと、ケーシングに対して操作可能に配列した複数の押圧型ボタンスイッチとを備えた押圧型選択ボタンユニットを組み合わせたものが知られている。複数の押圧型選択ボタンユニットは、支持部材によって相互に連結され、支持部材を介して自動販売機の正面パネルに取り付けられる（例えば、特許文献１参照）。
【０００４】
ケーシングは、押圧型ボタンスイッチの後側に位置して自動販売機の正面パネルに固着されるベースと、押圧型ボタンスイッチの前側に位置して押圧される操作部材を囲むボディとを備えている。
【０００５】
ケーシング内部には、押圧型ボタンスイッチが収容される。押圧型ボタンスイッチは、接点部材としてのタクタイルスイッチ、集積回路、表示用の光源等を実装した基板と、光源からの光を反射させるリフレクタと、埃、雨等の侵入防止のためのカバーと、例えば、「売切」「準備中」の文字を表示するネームプレートと、操作部材とが順次積み重ね合わされて構成される。
タクタイルスイッチは、押圧される操作部材と連動する操作突起に押されて作動する。
【先行技術文献】
【特許文献】
【０００６】
【特許文献１】特開２００５−３４７０３１号公報
【発明の概要】
【発明が解決しようとする課題】
【０００７】
しかしながら、押圧される操作部材を囲むボディとタクタイルスイッチが実装された基板との熱膨張率が異なるため、押圧型選択ボタンユニットを備えた自動販売機の設置環境の温度によって、押圧される操作部材と連動する操作突起とタクタイルスイッチとの位置がずれ、操作部材を押圧してもタクタイルスイッチが確実に押されないという可能性がある。
【０００８】
本発明は、環境の温度にかかわらず、操作部材の押圧によってタクタイルスイッチが確実に押される押圧型選択ボタンユニットを提供することを目的とする。
【課題を解決するための手段】
【０００９】
上記課題を解決するために、本発明の押圧型選択ボタンユニットは、複数の押下可能な操作部材と、前記操作部材を保持する樹脂からなる本体と、前記操作部材に対応して複数のタクタイルスイッチが搭載される基板と、先端部が前記タクタイルスイッチに対向し、前記それぞれの操作部材の押圧操作によって押下する片持ち梁のアームを有する樹脂からなる複数の押圧部材とを有し、前記それぞれのアームの先端部に形成され、前記タクタイルスイッチの押圧領域を押圧する突起部と、前記タクタイルスイッチの押圧領域に向けて前記突起部を案内するガイド部と、を備える。
また、上記本発明の押圧型選択ボタンユニットにおいて、前記ガイド部は、前記タクタルスイッチと前記押圧部材との対向位置がずれた状態で、前記操作部材の押圧操作がなされた時に、前記突起部の一部が当該ガイド部に乗り上げて前記突起部を傾かせ、傾いた前記突起部を前記タクタルスイッチの押圧領域に案内する。
【発明の効果】
【００１０】
押圧型選択ボタンユニットを備えた自動販売機の設置環境の温度にかかわらず、操作部材の押圧によってタクタイルスイッチが確実に押される押圧型選択ボタンユニットを提供できる。
【図面の簡単な説明】
【００１１】
【図１】実施形態の押圧型選択ボタンユニットおよび自動販売機を示した正面図。
【図２】押圧型選択ボタンユニットの分解斜視図。
【図３】（ａ）は、図２に示した押圧型ボタンスイッチの正面図、（ｂ）は（ａ）における断面図、（ｃ）は操作部材が押圧された場合のタクタイルスイッチ付近の部分断面図。
【図４】基板側から見たリフレクタの背面図。
【図５】基板側から見たリフレクタの斜視図。
【図６】タクタイルスイッチと、ガイド部と、突起部との位置関係を示す部分断面斜視図。
【図７】（ａ）は、温度が上昇したときの図３（ａ）における押圧型ボタンスイッチのＡ−Ａ断面図、（ｂ）は、操作部材が押圧された場合のタクタイルスイッチ付近の部分断面図。
【図８】（ａ）は、比較例における常温時の図３（ａ）に相当する押圧型ボタンスイッチのＢ−Ｂ断面図、（ｂ）は、操作部材が押圧された場合のタクタイルスイッチ付近の部分断面図。
【図９】（ａ）は、比較例における高温時の図３（ａ）に相当する押圧型ボタンスイッチのＢ−Ｂ断面図、（ｂ）は、操作部材が押圧された場合のタクタイルスイッチ付近の部分断面図。
【図１０】（ａ）〜（ｄ）は、温度が変化して操作部材が押圧された場合の実施形態と比較例とを比較したタクタイルスイッチ付近の部分断面図。
【図１１】（ａ）は、変形例１における基板側から見たリフレクタの斜視図、（ｂ）は、高温時に操作部材が押圧された場合のタクタイルスイッチ付近の部分断面図。
【図１２】（ａ）は、変形例２における基板側から見たリフレクタの斜視図、（ｂ）は、高温時に操作部材が押圧された場合のタクタイルスイッチ付近の部分断面図。
【発明を実施するための形態】
【００１２】
以下、本発明に係る好適な実施の形態について、図面を参照しながら詳細に説明する。
【００１３】
図１は、実施形態の押圧型選択ボタンユニット１および自動販売機１０００を示した正面図である。
図１に示すように、自動販売機１０００は、前面に設けた前扉１１０が横開きで開閉する。前扉１１０の前面の上方には、商品サンプルＳを陳列する展示パネル部１２０が設けられている。実施形態では、８個の商品サンプルＳが一列に陳列され、２段で展示されている。
【００１４】
一列に並んだ商品サンプルＳの下方には、販売可能な商品であることを知らせ、希望の商品を購入するために押圧する押圧型選択ボタン１００が搭載されている。押圧型選択ボタン１００は、それぞれの商品サンプルＳに対応してレンズによって構成される操作部材１０を備えている。複数の操作部材１０は、一列に並んでボディ２０に嵌め込まれている。
【００１５】
押圧型選択ボタン１００は、１つ以上の押圧型選択ボタンユニット１で構成される。実施形態では、６つの操作部材１０を備えた押圧型選択ボタンユニット１とその他の２つの操作部材を備えた押圧型選択ボタンユニットから構成されている。
また、自動販売機１０００の展示パネル部１２０の下方には、表示部１１２、紙幣投入口１１３、返却レバー１１４、硬貨投入口１１５、硬貨返却口１１６、商品取出口１１７などが配置されている。
【００１６】
図２は、押圧型選択ボタンユニット１の分解斜視図である。また、図３（ａ）は図２に示した押圧型ボタンスイッチ３の正面図を、（ｂ）は（ａ）における断面図を、（ｃ）は操作部材１０が押圧された場合のタクタイルスイッチ３１付近の部分断面図である。
【００１７】
図２に示すように、押圧型選択ボタンユニット１は、操作部材１０の並んだ方向に延びた本体としてのハウジング２と、ハウジング２に対して操作可能に配列された６個の押圧型ボタンスイッチ３と、支持部材としてのモール４ａ，４ｂとを備えている。
【００１８】
押圧型選択ボタンユニット１は、モール４ａで相互に連結可能で、例えば、複数の押圧型選択ボタンユニット１を組み合わせて図１に示した押圧型選択ボタン１００を構成する。押圧型選択ボタン１００の両端は、モール４ｂによって閉塞する。
【００１９】
実施形態では、６つの押圧型ボタンスイッチ３を備えた押圧型選択ボタンユニット１と２つの押圧型ボタンスイッチを備えた押圧型選択ボタンユニットとが連結されているが、これらの組み合わせに限定されない。
例えば、押圧型選択ボタンは、８つの押圧型ボタンスイッチ３を備えた一つの押圧型選択ボタンユニットから構成されていてもよいし、６つの押圧型ボタンスイッチ３を備えた押圧型選択ボタンユニット１とその他の４つの押圧型ボタンスイッチを備えた押圧型選択ボタンユニットとを組み合わせてもよい。
また、一列に陳列される商品サンプルＳの数によって、1つの押圧型選択ボタンユニットが備える押圧型ボタンスイッチの数を変えることができる。
【００２０】
ハウジング２は、ボディ２０とベース２１とで構成されている。
ボディ２０は、図１に示した自動販売機１０００の前面に配置され、ベース２１は、ボディ２０と自動販売機１０００との間に配置される。
ボディ２０は、合成樹脂等で形成されている。例えば、ＡＳＡ（Ａｃｒｙｌｏｎｉｔｒｉｌｅ  Ｓｔｙｒｅｎｅ  Ａｃｒｙｌａｔｅ）樹脂で形成される。
【００２１】
図２および図３に示すように、ベース２１は、合成樹脂等で形成される略矩形状の板材である。ベース２１の裏側には、自動販売機１０００にねじ止めするためのねじ穴が形成された図３に示すボス２１０、押圧型選択ボタンユニット１の電力供給用、信号用のコネクタ等のボス２２０が形成されている。これらのボス周りには、図２に示すパッキン２２が配置され、自動販売機１０００に形成されたねじを通すための孔、コネクタ用の孔との間で止水する。
【００２２】
また、ベース２１は、ボディ２０に向けて突出した、表面周縁の各辺に沿って設けられた枠部２３０を備えている。枠部２３０には、内側に向けて突起部２３１が、両端辺の下部と下辺の中央に内側に向けて形成されている。
さらに、枠部２３０は、その突出した内側の端面に、無端状の溝２３２を有している。
【００２３】
各押圧型ボタンスイッチ３は、操作部材１０と、基板３０と、押圧部材の一例であるリフレクタ４０と、拡散レンズ５０と、カバー部材の一例であるカバー６０と、ネームプレート７０とを備えている。これらは、順次重ねられてハウジング２の内部に収納されている。
【００２４】
操作部材１０は、押圧操作面１１を備えた商品購入者が押圧操作する操作部材で、透光性を有した合成樹脂材料等により形成される。
操作部材１０は、正面視で略楕円形状の押圧操作面１１を有する凸部と、凸部に対応した形状の凹部を有し、凹部にカバー６０とネームプレート７０が嵌め込まれる。操作部材１０の凸部は、ボディ２０の開口２３に嵌め込まれる。
また、操作部材１０の外周部には、操作部材１０が開口２３から抜けるのを防ぐため、鍔部１２が形成されている。
【００２５】
基板３０は、ベース２１の枠部２３０に嵌め込まれる。より詳しくは、基板３０には、ベース２１の両端辺の下部と下辺の中央に切欠き３１０が設けられ、切欠き３１０と枠部２１０に設けられた凸部２３１とを合わせて嵌め込まれている。基板３０には、紙フェノール基板、紙エポキシ基板、ガラスエポキシ基板等が用いられ、これらの熱膨張は、ハウジング２の熱膨張より小さい。
【００２６】
基板３０には、各種電子部品が実装されている。基板３０のボディ２０に向かう面である実装面には、タクタイルスイッチ３１と、光源３２とが実装されている。また、基板３０には、タクタイルスイッチ３１および光源３２と自動販売機１０００内の図示しない制御装置とに接続され、各種信号を送受信する図示しない集積回路が実装されている。
【００２７】
タクタイルスイッチ３１は、１つの操作部材１０に対応して、操作部材１０の並んだ方向である長手方向の押圧型ボタンスイッチ３の略両端の位置に２つ配置、実装されている。タクタイルスイッチ３１は、操作部材１０が押圧された場合に連動して作動し、基板３０に実装された素子、回路等を作動させる。ここで、タクタイルスイッチ３１は、ステム等を有していないタクタイルスイッチである。
【００２８】
また、図３において、タクタイルスイッチ３１は、突起部４２３に押圧される押圧領域３２０と枠体３２１とを有している。
例えば、タクタイルスイッチ３１の大きさは、平面視で４．５ｍｍ角の正方形状で、スイッチとして作動する範囲は、中心部直径３ｍｍ程度である。
【００２９】
光源３２は、点灯状態によって「販売可」、「売り切れ」、「準備中」等の状態を示す。例えば、光源３２として、「販売可」、「売り切れ」、「準備中」のそれぞれの状態を示す光源３２ａ、３２ｂ、３２ｃを備えている。
【００３０】
リフレクタ４０は、正面視において略楕円形状を有している。リフレクタ４０は、光源３２の光を透過し、各光源３２ａ、３２ｂ、３２ｃから射出された光を仕切り、きれいに反射させる。また、リフレクタ４０は、操作部材１０が押圧されるのと連動してタクタイルスイッチ３１を押す構造を有している。リフレクタ４０は、例えば、弾性変形可能な合成樹脂等で成形されている。
【００３１】
図４は、基板３０側から見たリフレクタ４０の背面図である。
図４に示すように、リフレクタ４０は、各光源３２ａ，３２ｂ，３２ｃから射出された光をそれぞれ通す光透過孔４１ａ，４１ｂ，４１ｃを備えている。
【００３２】
図５は、基板３０側から見たリフレクタ４０の斜視図である。
図３、図４および図５において、１つのリフレクタ４０は、弾性変形する片持ち梁形状のアーム４２を２つ備えている。
アーム４２は、正面視において略楕円形状のリフレクタ４０の長軸方向の端に近い外周を基部４２０として、長軸方向の端に向けて延びて形成されている。また、図３において、断面から見てリフレクタ４０から基板３０のタクタイルスイッチ３１に向けて延びて形成されている。リフレクタ４０の先端部４２１は略矩形状を有し、基板３０に実装されたタクタイルスイッチ３１に対向している。
【００３３】
アーム４２は、基部４２０から先端部４２１にかけて、基板３０に対する接線の角度が連続的に小さくなる滑らかな曲線形状を有している。
リフレクタ４０には、アーム４２が基板３０方向に可動可能となるように、アーム４２の形状に略合わせた形状の孔４２２が形成されている。また、孔４２２は、後述するカバー６０の操作突起部６４が挿入される。
【００３４】
また、リフレクタ４０の先端部４２１には、弾性変形する突起部４２３がタクタイルスイッチ３１に向けて形成されている。突起部４２３は、操作部材１０の並んだ方向に沿って形成されている。
より具体的には、突起部４２３の形状は、略楕円形状のリフレクタ４０の長軸方向に２つの脚を備えたアーチ形状を有している。このアーチ形状の上面がタクタイルスイッチ３１と接触する。また、アーチ形状の脚の間の先端部４２１には、孔４２４が形成されている。
【００３５】
図３において、基板３０の２つのタクタイルスイッチ３１の両側の外側に、タクタイルスイッチ３１に並んでガイド部３３が、基板３０から突出して設けられている。
図６は、タクタイルスイッチ３１と、ガイド部３３と、突起部４２３との位置関係を示す部分断面斜視図である。ガイド部３３は、操作部材１０が並んだ方向と直交する方向に長い直方体形状を有している。このガイド部３３は、タクタイルスイッチ３１の押圧領域３２０に向けて突起部４２３を案内するものである。
例えば、突起部４２３とタクタイルスイッチ３１との隙間ａは、０．４ｍｍ程度に設定される。タクタイルスイッチ３１の作動に必要なストロークが０．２ｍｍの場合、突起部４２３のストロークは０．６ｍｍ程度必要になる。
【００３６】
図２および図３において、拡散レンズ５０は、光源３２ａから射出された光を拡散させるものであり、光透過孔４１ａに嵌め込まれる形状に形成されている。
【００３７】
図２において、カバー６０は、シリコン系ゴム等の透光性および弾性を有した材料で形成されている。基板３０への雨等の液体の浸入を抑え、操作部材１０が押圧された時の衝撃緩和の役割を有する。また、操作部材１０が押圧された後、例えば指を離したときに操作部材１０を元に戻す。カバー６０は、押圧型選択ボタンユニット１に対して一体に形成されている。
【００３８】
カバー６０は、基板３０と同等の大きさを有した矩形の外形形状の基部６１と、外周にベース２１の溝２３２に嵌め込まれる側縁６２とを有している。
また、カバー６０は、リフレクタ４０および拡散レンズ５０が挿入される凹部を有し、操作部材１０が嵌め込まれる装着部６３を備えている。
【００３９】
さらに、図３において、カバー６０は、リフレクタ４０に形成されたアーム４２の先端部４２１の基板側とは反対側に当接する操作突起部６４を備えている。操作突起部６４は、アーム４２の先端部４２１と互いに押し合うようになっている。
操作部材１０が押圧操作されると、カバー６０の操作突起部６４が押下して、アーム４２の先端部４２１が押される。先端部４２１が押されることで、先端部４２１に形成された突起部４２３がタクタイルスイッチ３１の押圧領域を押す。したがって、操作部材１０の押圧操作に連動してタクタイルスイッチ３１が作動する。
【００４０】
ネームプレート７０は、透光性を有した材料からなるフィルム材によって、カバー６０の装着部６３の端面と略同一の形状に形成されている。ネームプレート７０は、それぞれの押圧型ボタンスイッチ３に設けられる。ネームプレート７０には、光透過孔４１ｂおよび光透過光４１ｃに対応する場所に抜き文字が印刷され、光源３２ｂあるいは光源３２ｃから照射される光によって、「売り切れ」あるいは「準備中」の文字が表示される。
【００４１】
以下に、自動販売機１０００の設置環境が、通常の温度、例えば２５℃から高温になった場合の押圧型ボタンスイッチ３の作動の様子を比較例と比較しながら説明する。
図７（ａ）は、温度が上昇したときの図３（ａ）における押圧型ボタンスイッチ３のＡ−Ａ断面図を、（ｂ）は、操作部材が押圧された場合のタクタイルスイッチ３１付近の部分断面図を示している。
【００４２】
図３（ｂ）および（ｃ）において、実施形態では、常温、例えば２５℃で、突起部４２３は、タクタイルスイッチ３１の中央付近に位置している。そして、操作部材１０が押圧操作されると、一体化された当接する操作突起部６４の押下に伴って、これと当接する突起部４２３は、タクタイルスイッチ３１の押圧領域３２０に操作部材１０の並んだ方向に沿って接触し、タクタイルスイッチ３１の押圧領域３２０を押す。したがって、押圧型ボタンスイッチ３が作動する。
【００４３】
図７（ａ）において、一方、温度変化によって温度が上昇すると、ハウジング２が熱膨張により膨張し熱変形する、操作部材１０の並んだ方向に伸びる。ここで、その他の方向にもハウジング２は伸びるが、操作部材１０の並んだ方向がハウジング２の長手方向となるので、伸びが大きい。ここで、ハウジング２のベース２１は中央に形成された突起２３１と基板３０の中央に形成された切欠き３１０によって位置決めされているので、基板３０に対し、中央の左右に伸びる。
例えば、ハウジング２の中央から端までの距離が２００ｍｍの場合、常温から５０℃温度が上昇すると、ハウジング２の端でずれ量ｂが０．８５ｍｍ程度、突起部４２３とタクタイルスイッチ３１との間で生じる。
以上は、温度変化によって温度が上昇した場合だが、常温から５０℃程度温度が低下しても温度変化による収縮で、同様のずれが生じる。
【００４４】
図７（ｂ）において、例えば、温度変化による温度上昇により、突起部４２３がタクタイルスイッチ３１に対向する位置からずれた状態で、操作部材１０が押圧操作されると、当接する操作突起部６４の押下に伴って、突起部４２３の一端が、ガイド部３３に接触する。ここで、突起部４２３がアーチ状に形成されているので全体が撓んで弾性変形するとともに、アーム４２が弾性変形し、突起部４２３がガイド部３３に接触して突起部４２３をタクタイルスイッチ３１の押圧領域３２０に向けて案内することによって、突起部４２３の他端が、タクタイルスイッチ３１の押圧領域３２０に接触し、タクタイルスイッチ３１の押圧領域３２０を押すことができる。したがって、押圧型ボタンスイッチ３が作動する。
【００４５】
突起部４２３の操作部材１０の並んだ方向に沿った長さ、高さ、タクタイルスイッチ３１とガイド部３３との距離、ガイド部３３の高さ等は、タクタイルスイッチ３１の大きさや、使用温度における最大のずれ量ｂによって決めることができる。
【００４６】
温度が低下した場合、ハウジング２は、操作部材１０が並んだ方向に収縮する。温度が低下したときも、押圧型ボタンスイッチ３の他端に配置、実装された突起部４２３、タクタイルスイッチ３１、ガイド部３３の間で同様の変形が起こり、突起部４２３の他端が、タクタイルスイッチ３１の中央付近を押す。
実施形態では、温度上昇、温度低下いずれの温度変化の場合でも、操作部材１０が押圧されると、押圧型ボタンスイッチ３のタクタイルスイッチ３１のいずれかが作動することになる。
【００４７】
（比較例）
図８（ａ）は、比較例における常温時の図３（ａ）に相当する押圧型ボタンスイッチ３ＲのＢ−Ｂ断面図を、（ｂ）は、操作部材１０が押圧された場合のタクタイルスイッチ３１付近の部分断面図である。
図９（ａ）は、比較例における高温時の図３（ａ）に相当する押圧型ボタンスイッチ３ＲのＢ−Ｂ断面図を、（ｂ）は、操作部材１０が押圧された場合のタクタイルスイッチ３１付近の部分断面図である。
実施形態と同じ構成要素には、同じ符号を付している。
【００４８】
図８および図９に示すように、比較例は、実施形態のアーム４２がアーム４２Ｒに、突起部４２３が突起部４２３Ｒになった点が異なる。
実施形態のアーム４２が滑らかな曲線形状を有しているのに対し、アーム４２Ｒは、直線状に形成されている。また、突起部４２３Ｒは、斜視図等は図示しないが、先端が面取りされた円柱の形状を有している。
【００４９】
図８において、常温で操作部材１０が押圧操作された場合、当接する操作突起部６４の押下に伴って、突起部４２３Ｒがタクタイルスイッチ３１の押圧領域３２０に接触し、タクタイルスイッチ３１の押圧領域３２０を押す。したがって、押圧型ボタンスイッチ３が作動する。
一方、図９において、温度が上昇して操作部材１０が押圧操作された場合、突起部４２３Ｒは、タクタイルスイッチ３１の枠体３２１に乗り上げて押圧領域３２０を押せないか若しくは深く押し込めない。したがって、押圧型ボタンスイッチ３Ｒの作動が鈍くなる。
【００５０】
図１０（ａ）〜（ｄ）は、温度が変化して操作部材が押圧された場合の実施形態と比較例とを比較したタクタイルスイッチ付近の部分断面図である。紙面に向かって左側に実施形態を、右側に比較例を示した。（ａ）〜（ｄ）になるにしたがい、温度変化が大きくなったときを表している。
図１０に示すように、実施形態では、（ｄ）まで温度が変化しても突起部４２３が押圧領域３２０を押せるのに対し、比較例では（ｃ）まで温度が変化すると押圧領域３２０を押すことは難しい。
【００５１】
以下に実施形態の変形例について説明する。
（変形例１）
図１１（ａ）は、変形例１における基板３０側から見たリフレクタ４００の斜視図を、（ｂ）は、高温時に操作部材１０が押圧された場合のタクタイルスイッチ３１付近の部分断面図を示している。
実施形態と同じ構成要素には、同じ符号を付している。
図１１に示すように、変形例１は、突起部４２３が突起部４２３０になった点が異なる。
変形例１の突起部４２３０は、１つの脚４２３１を有し、脚４２３１を中心にして脚４２３１の先端に操作部材１０の並んだ方向に沿って形成された押圧部４２３２が形成されている。押圧部４２３２は、先端からアーム４２の先端部４２１に向かって弓状に反っている。
【００５２】
図１１（ｂ）に示すように、例えば、温度変化による温度上昇により、突起部４２３０とタクタイルスイッチ３１との間に位置のずれが生じた状態で、操作部材１０が押圧操作されると、突起部４２３０の押圧部４２３２の一端が、ガイド部３３に当たり、脚４２３１を中心に突起部４２３０が撓んで弾性変形するとともに、アーム４２が弾性変形し、押圧部４２３２の他端が、タクタイルスイッチ３１の押圧領域３２０に接触し、タクタイルスイッチ３１の押圧領域３２０を押す。したがって、押圧型ボタンスイッチ３が作動する。
【００５３】
（変形例２）
図１２（ａ）は、変形例２における基板３０側から見たリフレクタ４０１の斜視図を、（ｂ）は、高温時に操作部材１０が押圧された場合のタクタイルスイッチ３１付近の部分断面図を示している。
実施形態と同じ構成要素には、同じ符号を付している。
図１２に示すように、変形例２は、突起部４２３が突起部４２３３になった点が異なる。変形例２の突起部４２３３は、操作部材１０の並んだ方向に沿って形成された複数の細長い円柱形状の押圧部４２３４が、先端部４２１に立った状態で並んで形成されている。図１２では、５つの押圧部４２３４が形成されているが、数は５つに限らない。
【００５４】
図１２（ｂ）に示すように、例えば、温度上昇により、突起部４２３３とタクタイルスイッチ３１との間に位置のずれが生じた状態で、操作部材１０が押圧操作されると、押圧部４２３４の一端の数個が、ガイド部３３に当たり、撓んで弾性変形するとともに、アーム４２が弾性変形し、押圧部４２３４の他端の数個が、タクタイルスイッチ３１の押圧領域３２０に接触し、タクタイルスイッチ３１の押圧領域３２０を押す。したがって、押圧型ボタンスイッチ３が作動する。
【００５５】
以上、本発明の好ましい実施形態および変形例について詳述したが、本実施形態に限ることなく本発明の要旨を逸脱しない範囲で各種変更が可能である。例えば、突起部の形状は、操作部材の並んだ方向に沿って形成され、弾性変形すれば、どの様な形状であってもよい。また、ずれの生ずる原因が温度変化によるものに限らず、部品の製造誤差、組立誤差によるものであってもよい。
また、ガイド部の形状も直方体形状に限らず、突起部に当たって突起部およびアームを変形させる形状であればどのような形状であってもよい。
【符号の説明】
【００５６】
１…押圧型選択ボタンユニット、２…ハウジング、３…押圧型ボタンスイッチ、３Ｒ…押圧型ボタンスイッチ、４ａ，４ｂ…モール、１０…操作部材、押圧操作面１１、鍔部１２、２０…ボディ、２１…ベース、２２…パッキン、２３…開口、３０…基板、３１…タクタイルスイッチ、光源３２、３２ａ，３２ｂ，３２ｃ…光源、３３…ガイド部、４０…リフレクタ４０、４１ａ，４１ｂ，４１ｃ…光透過孔、４２…アーム、４２Ｒ…アーム、５０…拡散レンズ、６０…シリコンカバー、６１…基部、６２…側縁、６３…装着部、６４…操作突起、７０…ネームプレート、１００…押圧型選択ボタン、１１０…前扉、１１２…表示部、１１３…紙幣投入口、１１４…返却レバー、１１５…硬貨投入口、１１６…硬貨返却口、１１７…商品取出口、１２０…展示パネル部、２１０，２２０…ボス、２３０…枠部、２３１…突起部、２３２…溝、３１０…切欠き、３２０…押圧領域、３２１…枠体、４００…リフレクタ、４０１…リフレクタ、４２０…基部、４２１…先端部、４２２…孔、４２３…突起部、４２３Ｒ…突起部、４２４…孔、４２３０…突起部、４２３１…脚、４２３２…押圧部、４２３３…突起部、４２３４…押圧部、１０００…自動販売機、Ｓ…商品サンプル。
【図１】
2014127279.tif 000003
【図２】
2014127279.tif 000004
【図３】
2014127279.tif 000005
【図４】
2014127279.tif 000006
【図５】
2014127279.tif 000007
【図６】
2014127279.tif 000008
【図７】
2014127279.tif 000009
【図８】
2014127279.tif 000010
【図９】
2014127279.tif 000011
【図１０】
2014127279.tif 000012
【図１１】
2014127279.tif 000013
【図１２】
2014127279.tif 000014